(57)【要約】【課題】ローカル端末だけでなく、ネットワーク上の端末のイベントログデータを容易に収集及び表示が出来、各端末のエラーを瞬時に発見する事が出来、複数端末のイベントログデータを混在させて１画面で管理する事が出来るシステムを提供する。 【解決手段】ネットワークを介しネットワーク上の端末全てのイベントログデータを収集及びエラーの種類（注１）を自動判断する手段を用いて、管理しやすいようにエラーの種類（注１）毎に色分けする手段を用いて一覧表示し、検索も行えるようにする。更にエラーが発生すると外部にＥメール等で通知する機能を備える。注１：ディスクエラー、ネットワークエラー、アプリケーションエラー、セキュリティの問題（不正侵入等）等を言う。 【選択図】    なし【特許請求の範囲】
【請求項１】
ローカル端末及びネットワークを介し複数台の端末から発生したイベントの
ログデータを収集する手段と、収集したイベントログデータを記憶する手段と、
記憶したイベントログデータのイベントの種類を瞬時に判断しイベント毎に
表示する手段と、記憶したイベントログデータの内容からエラーログデータを
瞬時に自動判断する手段と、自動判断したエラーログデータを見やすく色分けして
表示する手段と、記憶した複数端末のイベントログデータを混在して１画面の
リスト形式で管理する手段と、記憶したエラーの種類（注１）毎に最新のものを
１クリックで検索する手段と、記憶したイベントログデータから任意の
データを選択する事により、イベントログデータの詳細を表示する手段と、
画面上に表示したリストのヘッダーに表示されている任意の項目をクリック
する事により、昇順または降順にイベントログデータの並べ替えを
行う手段と、記憶したイベントログデータの内容をエクスポートする手段と、
記憶したイベントログデータのコピー及び貼り付けを行う手段と、記憶した
イベントログデータの一部またはリスト全てを削除する手段と、
イベントログデータを最後に収集した日時を表示する手段と、
エラーが発生するとＥメール等で外部に通知する手段を備えた事を
特徴とするイベントログ表示装置。
注１：ディスクエラー、ネットワークエラー、アプリケーションエラー、
セキュリティの問題（不正侵入等）等を言う。
【発明の詳細な説明】
【技術分野】
【０００１】
本発明は、ネットワーク上の端末のイベントログデータ管理に関するものである。
【背景技術】
【０００２】
従来はネットワーク上のイベントログデータの収集を行っても、複数台分の
イベントログデータを確認するのに、同一画面で確認する事が出来ず、
画面上で端末別に表示が分かれている為、切り替えしながら確認を行う必要が
ありハードウェアやソフトウェアのエラーを発見するには、イベントログデータの
内容を精査する必要がある為、時間もかかり労力も必要としていた。
【発明の開示】
【発明が解決しようとする課題】
【０００３】
以上のような従来のイベントログ表示装置には次のような解決すべき課題があった。
１．ネットワーク上にある端末すべてのイベントログデータを確認する場合は
画面上で端末別に切り替えながら確認しなければならない。
２．イベントログデータのエラーの種類（注１）が瞬時には分かりにくく
判断しにくい為、解析に時間がかかってしまう。
３．どの部分に関連して発生したイベントログデータかによってカテゴリー別で
分けられている為、同じエラーの種類（注１）であってもどのカテゴリーに
関連するかによって振り分けられてしまっているので、
エラーの種類（注１）毎に確認したい場合は、画面上でそれぞれの
カテゴリー毎に切り替えながら確認しなければならない。  
【課題を解決するための手段】
【０００４】
ローカル端末及びネットワークを介し複数台の端末から発生したイベントの
ログデータを収集する手段と、収集したイベントログデータを記憶する手段と、
記憶したイベントログデータのイベントの種類を瞬時に判断しイベント毎に
表示する手段と、記憶したイベントログデータの内容からエラーログデータを
瞬時に自動判断する手段と、自動判断したエラーログデータを見やすく色分けして
表示する手段と、記憶した複数端末のイベントログデータを混在して１画面の
リスト形式で管理する手段と、記憶したエラーの種類（注１）毎に最新のものを
１クリックで検索する手段と、記憶したイベントログデータから任意の
データを選択する事により、イベントログデータの詳細を表示する手段と、
画面上に表示したリストのヘッダーに表示されている任意の項目をクリック
する事により、昇順または降順にイベントログデータの並べ替えを
行う手段と、記憶したイベントログデータの内容をエクスポートする手段と、
記憶したイベントログデータのコピー及び貼り付けを行う手段と、記憶した
イベントログデータの一部またはリスト全てを削除する手段と、
イベントログデータを最後に収集した日時を表示する手段と、
エラーが発生するとＥメール等で外部に通知する手段を備えた事を
特徴とするイベントログ表示装置にある。
【発明の効果】
【０００５】
説明したように本発明によるシステム及び方法を使用する事により、
ネットワーク上に存在する全ての端末のイベントログデータを、
同一画面に表示する事で端末別に切り替えをしなくても管理する事が出来、
中でもエラーの種類（注１）を瞬時に判断し、最新のエラーを1クリックで
検索出来るので、作業時間の短縮となる。
【発明を実施するための最良の形態】
【０００６】
以下、本発明の詳細を説明する。
【０００７】
ネットワークを経由しイベントログ表示装置を搭載している端末を含む、複数台の
コンピュータ端末で構成されている。
【０００８】
イベントログ表示装置を搭載している端末は表示部とキーボードやマウス等の入力部と
を備えている。
【０００９】
イベントログ表示装置のログ収集ボタンを押下する事によりイベントログ表示装置を
搭載している端末はネットワークを介しそれぞれの端末から発生した
イベントログデータを設定された期間分収集する。
【００１０】
収集したイベントログデータをイベントログ表示装置の表示部に出力する。
【００１１】
出力する際に収集したイベントログデータの中からイベントの種類を判断する。
【００１２】
更にイベントログデータの中でもエラーに関するものはエラーの種類（注１）毎に
色分けを行い表示する。
【００１３】
イベントログ表示装置の画面上の一部には、コンピュータ名毎に
エラーの種類（注１）毎の最新ログ発生日時を表示する。
【００１４】
更に上記画面上の一部にはリストとしてイベントレベル、イベントの種類名、
コンピュータ名、日付、時刻、ソース、イベントＩＤ、説明、
エラーの種類（注１）等を表示する。
【００１５】
更に上記画面上の一部にはリストより選択されたイベントログデータの詳細として
イベントの種類名、コンピュータ名、エラー発生日時、ソース、イベントＩＤ、
説明等を表示する。
【００１６】
更に上記画面上の一部にはイベントログデータを最後に収集した日付を表示する。
【００１７】
更に上記画面上の一部にはメニューの説明や処理結果を表示するステータスバーが
ある。
【００１８】
更に上記画面上の一部にはキーボードの状態が表示される。
【００１９】
上記画面上のエクスポートボタンを押下する事により、任意の出力先を指定し、
任意のファイル名を入力し出力開始ボタンを押下し、更に、はいボタンを押下する事に
より、エクスポートする。
エクスポートする必要がない場合はキャンセルボタンを押下する事により、
元の画面に戻る。
【００２０】
上記画面上の検索ボタンを押下する事により、検索ダイアログボックスが表示され、
文字列検索を行う事が出来る。検索する必要がない場合はキャンセルボタンを
押下する事により、元の画面に戻る。
【００２１】
上記画面上のメニューバーのファイルをクリックし、アプリケーションの終了を
クリックし、表示されたメッセージボックスのはいボタンを押下する事により、
イベントログ表示装置を終了する事が出来る。いいえボタンを押下する事により、
元の画面に戻る。
【００２２】
上記画面上のメニューバーの編集をクリックし、コピーをクリックする事により、
選択状態になっている文字列をクリップボードにコピーする。
【００２３】
上記画面上のメニューバーの編集をクリックし、すべて選択をクリックする事により、
上記００１４に記載のリスト又は上記００１５に記載の詳細の全行が選択状態になる。
【００２４】
上記画面上のメニューバーの編集をクリックし、削除をクリックし、表示された
メッセージボックスのはいボタンを押下する事により、選択状態になっている
イベントログデータを画面上及び記憶されたイベントログデータより削除する。
いいえボタンを押下する事により、元の画面に戻る。
【００２５】
上記画面上のメニューバーのツールをクリックし、ログの収集をクリックする事により
上記０００９に記載と同様の動作を行う。
【００２６】
上記画面上のメニューバーのツールをクリックし、エクスポートをクリックする事に
より上記００１９に記載と同様の動作を行う。
【００２７】
上記画面上のメニューバーのツールをクリックし、検索をクリックする事により
上記００２０に記載と同様の動作を行う。
【００２８】
上記画面上のメニューバーの設定をクリックし、環境設定をクリックする事により
環境設定画面が表示され、イベントログデータを収集する日数期間を設定出来る。
ＯＫボタンを押下する事により設定出来る。設定、変更をしない場合は
キャンセルボタンを押下する事により、元の画面に戻る。
【００２９】
上記画面上で任意のコンピュータ名及びエラーログデータの最新ログ発生日時を
１クリックする事により、リストの中から該当するイベントログデータを検索して
選択状態にし、上記００１５に記載の部分に詳細を表示する。
【００３０】
上記画面上でヘッダーにある任意の項目をクリックする事により、
リストがクリックされた項目で昇順及び降順に並び替わる。
【００３１】
このように上記の装置を使用する事により、ネットワーク上の複数台の端末から
発生したイベントを同一画面で見る事が出来、管理を容易に行う事が出来る。
【００３２】
そしてエラーが発生するとデータ通信を用いてＥメール等で外部に通知する機能を
備えている。
【産業上の利用可能性】
【００３３】
本発明は、ネットワーク上の端末のシステム管理等における、イベントログ表示装置に
関するものである。
注１：ディスクエラー、ネットワークエラー、アプリケーションエラー、
セキュリティの問題（不正侵入等）等を言う。